(57)【要約】【課題】テレビ放送チャンネルや情報通信網から得られるコンテンツの指示、変更操作を容易にするリモコンを提供すること。【解決手段】テレビ放送やインターネット等のネットワークを指示するネットワーク選択キー７、ネットワークの番組を指示するための複数の番組指示キー５と、お好みのテレビチャンネルやインターネットアドレスを割当て可能なお好み番組キー３を設け、同一ネットワーク内でのチャンネル、アドレスの変更は番組指示キー５で行い、全ネットワーク内の好みのチャンネルやアドレスはお好み番組キー３で行うことで、異なるネットワーク間に亘る番組変更もお好み番組キー３の１釦操作により可能とする。【選択図】  図１
2005033268.tif 000002
【特許請求の範囲】
【請求項１】
複数のネットワークの番組を再生可能な受信装置に対して、該受信装置により再生する番組の指定を行うリモートコントロール送信機において、
ネットワークを指示するネットワーク選択キーと、
前記ネットワーク選択キーで選択したネットワークの番組を指示するための複数の番組指示キーと、
いずれかの前記ネットワークの番組を指示するための複数のお好み番組キーと、を有し、
前記ネットワークには、テレビ放送と情報通信網とを有し、
前記ネットワーク選択キーは、前記テレビ放送を指定するネットワーク選択用キーと、前記情報通信網でのアドレスを指定する情報通信網接続用キーと、を有し、
前記お好み番組キーの内、第１のお好み番組キーは第１のテレビ放送番組の指定が可能であり、第２のお好み番組キーには第１のアドレスの指定が可能であることを特徴とするリモートコントロール送信機。
【請求項２】
特定の番組を指定する手段として、前記ネットワーク選択キーによるネットワークの指定後に前記番組指示キーの操作により指定する第１の番組指示手段と、該特定番組の指定用に割り振られたお好み番組キーの操作により指定する第２の番組指示手段と、を有することを特徴とする請求項１に記載のリモートコントロール送信機。
【請求項３】
前記第１のお好み番組キーに割当てられた前記第１のテレビ放送番組を、第３の番組に割当てを変更可能であり、
前記第１の番組から前記第３の番組に割当て変更を行った場合に、該第３の番組の割当てを該第１の番組の割当てに戻すための戻しキーを有することを特徴とする請求項１又は２に記載のリモートコントロール送信機。
【請求項４】
前記お好み番組キーに割当てられる番組を変更する時には、全お好み番組キーに割当てられている番組を前記受信装置の表示画面に表示することを特徴とする請求項３に記載のリモートコントロール送信機。
【発明の詳細な説明】
【０００１】
【発明の属する技術分野】
本発明は、テレビ放送信号やインターネット等の情報通信網から得られる情報信号等を受信する受信装置に対して受信信号の選択指示を行うためのリモートコントロール送信機に関する。
【０００２】
【従来の技術】
従来、テレビ受信機により受信可能な情報媒体としてＢＳデジタル放送、ＣＳデジタル放送、ケーブル放送などがあり、今後は地上波デジタル放送も加わり益々受信できるチャネルの数が多くなり、利用者にとっては多種，多様な放送からより好みに合った情報を楽しめる。反面、チャンネル数の増加に伴ってそのチャンネル選択に使用するリモートコントロール送信機（以下、「リモコン」と略記する：遠隔制御機器）に設ける操作ボタンやスイッチ数が多くなり、却ってリモコンを用いたチャンネル選択の操作性が悪くなり、チャネル数の増加とリモコンの操作性とはトレードオフの関係となる。
【０００３】
そこで、リモコンにテンキーの入力モードを切換えるテンキー入力モード切換スイッチを設け、１のテンキーに２つの入力モードでのチャンネル入力指示を可能とする従来技術が知られている。係る従来技術では、第１の入力モードにて各テンキーに所定サービスにおける各チャネルを割当て、該テンキー入力モード切換スイッチを切換えた第２の入力モードにて各テンキーに頻繁に視聴するチャンネルを割当てることで、１釦選局可能としている。（例えば、特許文献１参照）
【０００４】
【特許文献１】
特開２０００−１８４２２７号公報
【０００５】
【発明が解決しようとする課題】
しかしながら、上記従来技術では１釦選局により頻繁に視聴するチャンネルの選択が可能となる一方で、テンキー入力モード切換スイッチの操作が前提となるために結果的には複数操作工程が必要となり、お年よりや子供やテンキー入力モード切換スイッチを熟知していない者等が使用する場合には、その時の切換スイッチで選択された第１又は第２の入力モードでの使用のみに使用が限定されてしまい、結果として操作性の向上が望めない場合がある。
【０００６】
また、今後は地上波デジタル放送の開始により放送ネットワークの増加に加えてインターネット等の情報ネットワークの普及により、受信情報表示装置としてのテレビの汎用利用が望まれ、より迅速、簡単な番組変更が可能なリモコンが望まれている。
【０００７】
本発明は、前記の問題点を解消するためになされたものであって、テレビ放送チャンネルや情報通信網から得られるコンテンツの指示、変更操作を容易にするリモコンを提供することを目的とする。
【０００８】
【課題を解決するための手段】
本発明は、上記の目的を達成するため、次の構成を有する。
複数のネットワークの番組を再生可能な受信装置に対して、該受信装置により再生する番組の指定を行うリモートコントロール送信機において、ネットワークを指示するネットワーク選択キーと、前記ネットワーク選択キーで選択したネットワークの番組を指示するための複数の番組指示キーと、いずれかの前記ネットワークの番組を指示するための複数のお好み番組キーと、を有し、前記ネットワークには、テレビ放送と情報通信網とを有し、前記ネットワーク選択キーは、前記テレビ放送を指定するネットワーク選択用キーと、前記情報通信網でのアドレスを指定する情報通信網接続用キーと、を有し、前記お好み番組キーの内、第１のお好み番組キーは第１のテレビ放送番組の指定が可能であり、第２のお好み番組キーには第１のアドレスの指定が可能であることを特徴とする。
【０００９】
上記構成により、テレビ放送番組とアドレス番組と間の番組変更をお好み番組キーの１の操作で変更できるので、異なるネットワーク間に亘る番組変更が簡単に行うことができる。また、お好み番組キーと並存して同一ネットワーク内の番組指示キーもあるので、同一ネットワーク内での番組変更も１の番組指示キー操作によりでき、ネットワークの異同を問わず目的に合わせたち番組変更を簡単操作にて行える。
【００１０】
また、特定の番組を指定する手段として、前記ネットワーク選択キーによるネットワークの指定後に前記番組指示キーの操作により指定する第１の番組指示手段と、該特定番組の指定用に割り振られたお好み番組キーの操作により指定する第２の番組指示手段と、を有することで、ネットワークの異同を問わず目的に合わせたち番組変更を簡単操作にて行える。
【００１１】
また、前記第１のお好み番組キーに割当てられた前記第１のテレビ放送番組を、第３の番組に割当てを変更可能であり、前記第１の番組から前記第３の番組に割当て変更を行った場合に、該第３の番組の割当てを該第１の番組の割当てに戻すための戻しキーを有することで、お好み番組キーの番組割り当て時の誤操作、意思の変更等の場合に素早い回復を実現できる。
【００１２】
また、前記お好み番組キーに割当てられる番組を変更する時には、全お好み番組キーに割当てられている番組を前記受信装置の表示画面に表示することで、既に割当てられている番組の重要度、優先順位を決定でき、限られた数のお好み番組キーでの最適なお好み番組の設定が可能とできる。
【００１３】
【発明の実施の形態】
以下、図面を参照して本発明の実施形態を詳細に説明する。
図１（ａ）は、本実施の形態に係る受信再生装置に用いるリモコン１の概略正面図であり、図面上方より順にお好み番組キー３、番組指示キー５、ネットワーク選択キー７、及びカーソルキー９が設けられている。
【００１４】
お好み番組キー３は、お好みテンキー３ａと、お好み登録キー３ｂと、戻りキー３ｃとを有している。尚、本実施の形態での「番組」の意味は、テレビのチャンネル、インターネット接続ＵＲＬ（Ｕｎｉｆｏｒｍ  Ｒｅｓｏｕｒｃｅ  Ｌｏｃａｔｏｒ）アドレス、外部接続機器を含む。お好み番組キー３の詳細については後述する。
【００１５】
番組指示キー５は、ネットワーク選択キー７で指定された特定ネットワークにおける番組指示用のテンキー１２個を有している。例えば、ネットワーク選択キー７で指定したネットワークが放送（地上波デジタル、ＢＳ（Ｂｒｏａｄｃａｓｔｉｎｇ  Ｓａｔｅｌｌｉｔｅ）デジタル及びＣＳ（Ｃｏｍｍｕｎｉｃａｔｉｏｎ  Ｓａｔｅｌｌｉｔｅ）デジタル放送）の場合には、番組指示キー５の１２個のテンキーには各放送種別毎に予め特定チャンネルが１対１で割り振られ、番組指示キー５の１釦押圧操作によりその特定チャンネルの指定となる。
【００１６】
また、ネットワーク選択キー７で指定したネットワークがインターネットＩＴＮの場合には、番組指示キー５は文字（ローマ字、平仮名、片仮名）、数字、記号の入力、決定手段となる。具体的には、番組指示キー５の１２個のテンキーには予め文字、数字、記号、決定を割り振り、インターネット接続時のＵＲＬ入力キーとなる。また、番組指示キー５に予めＵＲＬを割当てることで頻繁に接続するＵＲＬを１釦操作に短縮できる。番組指示キー５を、文字、数字、記号、決定等の指示用キーとするかお好みＵＲＬ指示用キーとするかは、インターネット接続用コンテンツ表示キー７ｇを押した後に表示画面に選択肢が表示され、何れにするかカーソルキー９により選択することで決定できる。
【００１７】
ネットワーク選択キー７は、本受信再生装置で受信、再生するメディアを選択指示するキーであり、前記番組指示キー５により番組選択が行なわれる前にキー入力が行われる。
【００１８】
本実施形態での「ネットワーク」は、本受信再生装置で受信、再生可能なメディアを獲得する手段を意味しており、例えば、放送信号の受信手段、情報通信網としてのインターネット、外部入力接続により再現映像等を記録した記録媒体等（磁気記録媒体、光読取記記録媒体、半導体記録媒体等）がある。尚、該記憶媒体の再生装置は、本受信再生装置内に設けても、外部接続端子を介して本受信再生装置と接続する場合でもよい。
【００１９】
ネットワーク選択キー７は、放送ネットワーク選択用キーとして地上波デジタル、ＢＳデジタル及びＣＳデジタルの各放送選択キー７ａ〜７ｃと、前記各放送の情報種類の選択キーとしてテレビ、ラジオ及びデータの各情報種類選択キー７ｄ〜７ｆと、インターネット接続用（所望ＨＴＭＬ（Ｈｙｐｅｒ  Ｔｅｘｔ  Ｍａｒｋｕｐ  Ｌａｎｇｕａｇｅ）コンテンツ表示）キー７ｇと、外部入力機器選択用キーとしてビデオ表示キー７ｈとＤＶＤ表示キー７ｉと、そのビデオやＤＶＤの再生制御キー７ｊと、を有している。
【００２０】
図２は、ネットワーク選択キー７により選択可能なネットワークと番組とを示している。地上波デジタル放送ＤＴＴＢではテレビ（動画像と音声）とラジオ（静止画と音声）放送のそれぞれの複数チャンネルから選択でき、ＢＣ、ＣＳデジタル放送ではテレビ、ラジオ、及びデータ（文字、記号、図形等）放送のそれぞれの複数チャンネルから選択でき、インターネット接続では特定ＵＲＬ入力により所望ＨＴＭＬコンテンツを表示でき、外部入力機器ではビデオとＤＶＤから選択できる。
【００２１】
カーソルキー９は、表示画面上に表示させた文字、数字等から任意ものを選択するソフトキーボード操作時のカーソル制御用のキーであり、上下左右の４方向移動用のキー９ａと入力情報を決定する決定キー９ｂとを有している。
【００２２】
前記お好み操作キー３について図１（ｂ）を参照しつつ詳細に説明する。お好みテンキー３ａは、頻繁に視聴したりするお好みの特定ネットワーク（放送、インターネット、外部接続機器）の特定番組を１釦の押圧操作により指定可能とする１２個の操作釦である。この１２個のお好みテンキー３ａに対応させて予め記憶する特定ネットワークの特定番組は、図１（ｂ）に示すようにチャンネル記憶用メモリ１１に記憶されている。すなわち、お好みテンキー３ａの１２個の操作釦に１対１で対応するポジション１〜１２には、ネットワークとその番組を横断した登録を行い、地上アナログ放送のチャンネル選択と同様に１キー操作で即座に番組選択ができる。
【００２３】
お好み登録キー３ｂは登録時に操作するキーであり、お好み登録キー３ｂの操作後に記録したいお好みテンキー３ａを指定することで、現在選局中の番組をそのお好みテンキー３ａに登録できる。登録は、上書き登録することで利用者の好みの変化、番組の変更等に臨機応変に対応でき、少ないお好みテンキー３ａで利用者の趣向にあった番組登録が実現できる。お好み登録工程については、後述する。
【００２４】
戻りキー３ｃは、お好みテンキー３ａへの登録は上書き登録を誤って行ってしまった場合やその上書き前の登録に戻したい場合に、直近に登録したものを取り消し、その直近登録前の番組登録を再現する戻しキーである。本実施の形態では、インターネット接続時のＵＲＬ入力時の誤入力が起こり得るため、戻りキー３ｃを設けたことで誤って誤登録した場合や前の登録に戻したい場合に再度ＵＲＬ入力等を省くことができ、操作性の向上が図れる。
【００２５】
図３は、前記リモコン１により制御する受信再生装置２１のブロック図を示している。受信再生装置２１は、放送信号の受信制御部Ａと、インターネット接続制御部Ｂと、外部接続機器制御部Ｃと、それら各部を制御するチャンネル選択部２３と、再生信号を復号するデコーダ２５と、映像信号を表示するモニター部２７と、音声信号を出力するスピーカ部２９と、前記チャンネル記憶用メモリ１１とを有している。
【００２６】
放送信号の受信制御部Ａは、ＢＳ，ＣＳ放送信号を受信する衛星放送アンテナＡ１と、地上波デジタル放送を受信するアンテナＡ３と、各アンテナのチューナＡ５，Ａ７と、該チューナＡ５，Ａ７の何れかを選択するセレクタＡ９と、該チューナＡ５，Ａ７の選局制御を行う選局部Ａ１１と、セレクタＡ９を制御するネットワーク切換部Ａ１３とを有している。
【００２７】
インターネット接続制御部Ｂは、インターネットに接続されるモデムＢ１と、該モデムＢ１のモデム制御部Ｂ３とを有している。
【００２８】
外部接続機器制御部Ｃは、Ｄ−ＶＨＳやＤＶＤ−Ｒ／Ｗとのインターフェースである高速Ｉ／ＦＣ１と、該高速Ｉ／ＦＣ１の制御部Ｃ３と、ＩＲ（赤外線）コントローラＣ５と、アナログビデオのデコーダＣ７とを有している。
【００２９】
チャンネル選択部２３は、リモコン１の制御信号に基づき選局部Ａ１１、ネットワーク切換部Ａ１３、モデム制御部Ｂ３、高速Ｉ／Ｆ制御部Ｃ３、及びＩＲコントローラＣ５を制御することで各ネットワークの制御部Ａ、Ｂ、Ｃを制御する。また、チャンネル選択部２３はチャンネル記憶メモリ１１にも接続され、リモコン１のお好みテンキー３ａの１釦操作信号とチャンネル記憶メモリ１１の登録情報（図１（ｂ））に基づいて各ネットワークの制御部Ａ、Ｂ、Ｃを制御する。
【００３０】
デコーダ２５は、各ネットワークの制御部Ａ、Ｂ、Ｃからの出力信号を復号し、モニター部２７とスピーカ部２９に出力、再生する。
【００３１】
図４は、お好みテンキー３ａの１釦操作による選局工程のフローチャートを示している。リモコン１の何れかのお好みテンキー３ａが押されると（Ｓ１）、チャンネル選択部２３は記憶メモリ１３より対応するネットワークと番組情報を取得し（Ｓ２）、ネットワームが判断される（Ｓ３）。
【００３２】
ネットワームの判断結果が地上波、ＢＳ又はＣＳデジタル放送の場合には、番組情報に基づき選局部Ａ１１がチューナを選局し（Ｓ４）、ネットワーク切換部Ａ１３が選択されたチューナを選択するようにセレクタＡ９を制御し（Ｓ５，６）、デコーダ２５を介して、モニター部２７及び／又はスピーカ部２９より指定の映像・音声を視聴できる。
【００３３】
ネットワームの判断結果がインターネットの場合には、番組情報に基づくＵＲＬに接続するためにモデム制御部Ｂ３がモデムＢ１を制御し（Ｓ７）、インターネットから取得したＵＲＬからのデータをデコーダ２５を介して、モニター部２７及び／又はスピーカ部２９より指定の画像、映像・音声を視聴できる（Ｓ８）。
【００３４】
ネットワームの判断結果が外部接続機器、特に高速Ｉ／Ｆ接続機器の場合には、番組情報に基づき高速Ｉ／Ｆ制御部Ｃ３が高速Ｉ／ＦＣ１を制御し、選択された外部機器に対して読み込み（再生）制御を行い（Ｓ９）、読み出されたストリームをデコーダ２５に転送し（Ｓ１０）、モニター部２７及び／又はスピーカ部２９より指定の画像、映像・音声を視聴できる（Ｓ１１）。
【００３５】
外部接続機器が従来のアナログビデオ等の場合には、チャンネル選択部２３は番組情報に基づきＩＲコントローラＣ５に制御指示を送信し（Ｓ１２）、ビデオ再生装置に対してＩＲコントローラＣ５から再生指示を送信し（Ｓ１３）、ビデオ再生装置からの画像、映像、音声等をデコーダＣ７によりデコードし、更にデコーダ２５に転送し、モニター部２７及び／又はスピーカ部２９より指定の画像、映像・音声を視聴できる（Ｓ１４）。
【００３６】
図５は、お好みテンキー３ａへの登録工程のフローチャートを示している。始めに番組指示キー５、ネットワーク選択キー７、及び／又はカーソルキー９を用いて登録したい画面表示を行い（Ｓ２１）、お好み登録キー３ｂを押すことでお好みテンキー登録画面を表示する（Ｓ２２）。チャンネル選択部２３は、ネットワークを判断し（Ｓ２３）、地上波、ＢＳ又はＣＳデジタル放送の場合には現在のネットワーク、チャンネル番号を、インターネットの場合には現在のＵＲＬを、高速Ｉ／Ｆ接続機器の場合には高速Ｉ／Ｆ接続と機器名を、外部接続機器が従来のアナログビデオ等の場合には外部機器で番組としてビデオを、それぞれお好みテンキー３ａと対応させて記憶メモリ１３に記録する（Ｓ２４〜Ｓ２７）。
【００３７】
どのお好みテンキー３ａに登録するかは、お好みテンキー３ａを押すことで指定したり、表示画面にお好みテンキー３ａのポジションを表示してカーソルキー９又は番組指示キー５やネットワーク選択キー７等をカーソルキー替りに使用して指定できる。
【００３８】
表示画面にお好みテンキー３ａのポジションを表示してお好みテンキー３ａを決定する場合に、表示画面に図１（ｂ）に示すようなポジション番号、ネットワーク、及び番組を表示することで、利用者にとってお好み番組の重要度や優先順位がわかり易くなり、上書き登録による誤登録を防ぐことができる。
【００３９】
上記構成によれば、任意のネットワークを介して所望の番組を選択するための番組指示キー５とネットワーク選択キー７に加えて、お好み番組キー３により従来の地上波テレビのように１釦操作によりお好みの番組を選局等できるため、選局できる番組数が増加して番組指示キー５とネットワーク選択キー７を用いた選局操作が難しい子供からお年よりまで年齢を問わず、また、リモコン操作の習熟度を問わず容易に好みの番組を選局できるようにできた。
【００４０】
お好み番組キー３は上書き登録するために、少ないキー数で好みに合った最新のものを登録しておくことができる。
【００４１】
また、インターネット接続時のＵＲＬ入力時の誤入力は多くの場合に起き得るが、戻りキー３ｃを設けたことで誤って誤登録した場合でも上書登録する前のＵＲＬを復帰し易くなり、操作性の向上が図れた。
【００４２】
なお、前記の実施形態では本発明の好適例を説明したが、本発明はこれに限定されないことはもちろんである。例えば、お好み番組キー３や番組指示キー５の数は操作性等を考慮しリモコン１に設けられる任意の数に設定できる。また、ネットワーク選択キー７に設けるネットワークの種類もこれに限定するものではなく、受信再生装置を使用するネットワークであればよい。また、カーソルキー９に替わって、お好み番組キー３や番組指示キー５等にカーソルキーの動作可能とすることで削除してもよい。
【００４３】
【発明の効果】
以上説明した通り、本発明によれば、テレビ放送番組とアドレス番組と間の番組変更をお好み番組キーの１の操作で変更できるので、異なるネットワーク間に亘る番組変更が簡単に行うことができる。また、お好み番組キーと並存して同一ネットワーク内の番組指示キーもあるので、同一ネットワーク内での番組変更も１の番組指示キー操作によりでき、ネットワークの異同を問わず目的に合わせたち番組変更を簡単操作にて行える。
【００４４】
また、特定の番組を指定する手段として、前記ネットワーク選択キーによるネットワークの指定後に前記番組指示キーの操作により指定する第１の番組指示手段と、該特定番組の指定用に割り振られたお好み番組キーの操作により指定する第２の番組指示手段と、を有することで、ネットワークの異同を問わず目的に合わせたち番組変更を簡単操作にて行える。
【００４５】
また、前記第１のお好み番組キーに割当てられた前記第１のテレビ放送番組を、第３の番組に割当てを変更可能であり、前記第１の番組から前記第３の番組に割当て変更を行った場合に、該第３の番組の割当てを該第１の番組の割当てに戻すための戻しキーを有することで、お好み番組キーの番組割り当て時の誤操作、意思の変更等の場合に素早い回復を実現できる。
【００４６】
また、前記お好み番組キーに割当てられる番組を変更する時には、全お好み番組キーに割当てられている番組を前記受信装置の表示画面に表示することで、既に割当てられている番組の重要度、優先順位を決定でき、限られた数のお好み番組キーでの最適なお好み番組の設定が可能とできる。
【図面の簡単な説明】
【図１】本発明の実施形態に係るリモコン１の概略正面図（ａ）とチャンネル記憶用メモリ１１の説明図（ｂ）である。
【図２】本発明の実施形態に係るネットワーク選択キー７により選択可能なネットワークと番組の説明図である。
【図３】本発明の実施形態に係るリモコン１により制御する受信再生装置２１のブロック図である。
【図４】本発明の実施形態に係るお好みテンキー３ａの１釦操作による選局工程のフローチャートである。
【図５】本発明の実施形態に係るお好みテンキー３ａへの登録工程のフローチャートである。
【符号の説明】
１  リモコン
３  お好み番組キー
３ｃ  戻りキー
５  番組指示キー
７  ネットワーク選択キー
７ａ〜７ｃ  放送選択キー
７ｇ  インターネット接続用キー
２１  受信再生装置
ＩＴＮ  インターネット
【図１】
2005033268.tif 000003
【図２】
2005033268.tif 000004
【図３】
2005033268.tif 000005
【図４】
2005033268.tif 000006
【図５】
2005033268.tif 000007